(57)【特許請求の範囲】
【請求項１】
写真フイルムが単一のスプールに巻回されているフイルムカートリッジが装着されるフイルム供給部と、前記フイルム供給部から供給されるフイルムを巻き取る巻取リールを有するフイルム巻取部と、前記フイルムカートリッジとフイルム巻取部との間に配設されたフイルムガイド部とを有するフイルム搬送装置において、
前記フイルムカートリッジから送出されたフイルムが前記フイルムガイド部に最初に接触する該フイルムガイド部の接触位置を、
前記フイルムカートリッジ内におけるフイルム巻取径が最大径のときに該フイルムカートリッジのフイルム出入口においてフイルムが接触せず、前記フイルム巻取径が最小径のときに前記フイルム出入口においてフイルム幅方向の湾曲により該フイルムの画像エリア以外の両縁部のみが接触する位置に設けたことを特徴とするフイルム搬送装置。
【請求項２】
前記フイルムガイド部は、前記フイルムの画像エリア以外の両縁部のみに接触するガイドローラ又はガイドピンを含み、前記接触位置は前記ガイドローラ又はガイドピン上における接触位置である請求項１のフイルム搬送装置。
【請求項３】
前記フイルムは現像済みフイルムであり、前記フイルムガイド部には、フイルム搬送中にラインセンサによって前記フイルムの画像を読み取るための窓部と、前記フイルムの画像エリア以外の両縁部のみに接触して該フイルムを案内するガイド面とが設けられている請求項１のフイルム搬送装置。
【請求項４】
前記接触位置は前記ガイド面上の接触位置である請求項３のフイルム搬送装置。
【請求項５】
前記ガイド面は、前記フイルムの画像を読み取るための窓部において該フイルムの幅方向の湾曲を矯正するために湾曲形成されている請求項３のフイルム搬送装置。
【発明の詳細な説明】
【０００１】
【産業上の利用分野】
本発明はフイルム搬送装置に係り、特に写真フイルムが単一のスプールに巻回されているフイルムカートリッジを使用するフイルムスキャナ等に適用されるフイルム搬送装置に関する。
【０００２】
【従来の技術】
従来、フイルム使用前のフイルムカートリッジは、リーダ部がフイルムカートリッジから露出しているが、米国特許４，９３３，６９３に見られるように使用前においても、リーダ部を含む全てのフイルムがフイルムカートリッジ内に収納され、リーダ部が露出していないものが提案されている。
【０００３】
また、この種のフイルムカートリッジを使用したフイルム搬送装置としては、図５に示すものが提案されている。
同図において、フイルムカートリッジ１０からフイルム１２を送り出すためには、フイルム１２が巻回されているスプール１４を回転させ、フイルムカートリッジ１０のフイルム出入口からフイルム１２を送り出す。フイルムカートリッジ１０から送り出されたフイルム１２は、ガイドプレート２０、２２を介して図示しない巻取リールに巻き取られる。
【０００４】
上記ガイドプレート２０、２２のフイルムカートリッジ１０のフイルム出入口に対向する部分２０Ａ、２２Ａは、テーパー状に形成されており、これによりフイルムカートリッジ１０から送り出されるフイルム先端をガイドプレート２０、２２間に案内するようにしている。
一方、現像済みの写真フイルムを一定の速度で移動させ、そのフイルムから画像をＣＣＤラインセンサを用いて読み取るようにしたフイルムスキャナが提案されている（特表平５−５０２１５３号公報、特開昭６３−３９２６７号公報）。
【０００５】
尚、フイルム１２は、図６（Ａ）に示すようにカールしており、これを伸ばそうとすると、図６（Ｂ）に示すように幅方向に湾曲する。従って、撮影時の画像エリアの平面度を出すために、ガイドプレート２０はフイルム全面に当接できるようになっている。
【０００６】
【発明が解決しようとする課題】
ところで、図５に示すように、フイルムカートリッジ１０内におけるフイルム巻取径が変化すると、フイルムカートリッジ１０からガイドプレート２０、２２へのフイルム１２の入射角度が変化する。従って、フイルム１２はその入射角度によっては、ガイドプレート２０、２２に入射する前に、フイルム出入口に接触するという問題がある。尚、フイルムカートリッジ１０のフイルム出入口が十分に大きければ上記問題は生じないが、フイルム出入口は遮光性の点から最小限の大きさに形成されている。
【０００７】
また、図５に示したフイルム搬送装置がカメラに適用されている場合には、フイルム搬送は１往復だけであるが、上記フイルムスキャナに適用されると、多数回往復することになり、これによりフイルムが傷つくとともに、ゴミが発生するという問題が生じる。
本発明はこのような事情に鑑みてなされたもので、フイルムカートリッジとフイルム巻取軸との間でフイルムを多数回往復させても、フイルムの画像エリアが傷つかないようにすることができるとともに、ゴミの発生を低減することができるフイルム搬送装置を提供することを目的とする。
【０００８】
【課題を解決するための手段】
本発明は前記目的を達成するために、写真フイルムが単一のスプールに巻回されているフイルムカートリッジが装着されるフイルム供給部と、前記フイルム供給部から供給されるフイルムを巻き取る巻取リールを有するフイルム巻取部と、前記フイルムカートリッジとフイルム巻取部との間に配設されたフイルムガイド部とを有するフイルム搬送装置において、前記フイルムカートリッジから送出されたフイルムが前記フイルムガイド部に最初に接触する該フイルムガイド部の接触位置を、前記フイルムカートリッジ内におけるフイルム巻取径が最大径のときに該フイルムカートリッジのフイルム出入口においてフイルムが接触せず、前記フイルム巻取径が最小径のときに前記フイルム出入口においてフイルム幅方向の湾曲により該フイルムの画像エリア以外の両縁部のみが接触する位置に設けたことを特徴としている。
【０００９】
【作用】
本発明は、フイルムがフイルムカートリッジのフイルム出入口に接触し、これによりフイルムの画像エリアに傷が発生するとともに、ゴミが発生することに着目し、フイルムカートリッジとフイルムガイド部との最適な位置関係を求めた。即ち、フイルムカートリッジから送出されたフイルムがフイルムガイド部に最初に接触する接触位置を、フイルムカートリッジ内におけるフイルム巻取径が最大径のときにフイルムカートリッジのフイルム出入口においてフイルムが接触しない位置であって、且つフイルム巻取径が最小径のときにフイルム出入口においてフイルム幅方向の湾曲によりフイルムの画像エリア以外の両縁部のみが接触する位置となるようにしている。
【００１０】
このようにフイルムガイド部の最初の接触位置を決定することにより、フイルム巻取径が最大径のときには、フイルムがフイルム出入口に接触せず、フイルム巻取径が最小径のときには、フイルムの両縁部はフイルム出入口に接触しても、画像エリアは接触しないようにしている。即ち、フイルム巻取径が最小径のときには、フイルムの両縁部がフイルム出入口に軽く接触（フイルム幅方向が湾曲している範囲内で接触）し、画像エリアが接触しないようにしている。
【００１１】
【実施例】
以下添付図面に従って本発明に係るフイルム搬送装置の好ましい実施例を詳説する。
図１は本発明に係るフイルム搬送装置を含むフイルムスキャナの要部構成図である。
【００１２】
同図に示すように、このフイルムスキャナは、主としてフイルム搬送装置、照明用の蛍光灯３０、撮影レンズ３２、ＣＣＤラインセンサ３４、及び画像処理装置３６等から構成されている。
このフイルムスキャナに使用されるフイルムカートリッジ１０は、図５に示したものと同様に単一のスプール１４に現像済みの写真フイルム１２が巻回されており、カートリッジの取出し時にはフイルム１２を全て巻き取り、フイルムの保管ができるようになっている。また、フイルムカートリッジ１０には、フイルム出入口（図示せず）を開閉する蓋１６が設けられている。この蓋１６は、蓋開閉部材１８を回動させることによって開閉操作される。
【００１３】
図１において、蛍光灯３０は、その長手方向がフイルム１２の搬送方向と直交するように配設され、フイルム１２の全幅にわたって照明できるようになっている。フイルム１２を透過した透過光は、撮影レンズ３２を介してフイルム搬送方向と直交する方向に配設されたＣＣＤラインセンサ３４の受光面に結像される。尚、フイルム画像を読み取る場合には、後述するようにフイルム１２を一定速度で搬送する。
【００１４】
このＣＣＤラインセンサ３４の受光面に結像された画像光は、Ｒ，Ｇ，Ｂフィルタが設けられた各センサで電荷蓄積され、光の強さに応じた量のＲ，Ｇ，Ｂの信号電荷に変換される。このようにして蓄積されたＲ，Ｇ，Ｂの信号電荷は、図示しないＣＣＤ駆動回路から加えられる転送ゲートパルスによってシフトレジスタに読み出され、レジスタ転送パルスによって順次読み出される。
【００１５】
フイルム画像の読取り時にＣＣＤラインセンサ３４から読み出される１コマ分のＲ，Ｇ，Ｂ信号は、画像処理装置３６に出力される。画像処理装置は、入力する１コマ分のＲ，Ｇ，Ｂ信号を図示しないＡ／Ｄコンバータによってデジタル信号に変換し、所要の信号処理をしたのち画像メモリに記憶する。この画像メモリに記憶された１コマ分のＲ，Ｇ，Ｂ信号は、繰り返し読み出され、Ｄ／Ａコンバータによってアナログ信号に変換されたのち、エンコーダでＮＴＳＣ方式の複合映像信号に変換されてモニタＴＶ３８に出力される。これにより、モニタＴＶ３８よってフイルム画像を見ることができるようになる。
【００１６】
次に、本発明に係るフイルム搬送装置について説明する。このフイルム搬送装置は、主としてフイルム供給部、フイルム巻取部、キャプスタン（図示せず）、及びフイルムガイド部４０から構成されている。
フイルム給送部は、フイルムカートリッジ１０が装着され、フイルム１２の送り出し時にスプール１４を図１上で時計回り方向に回転させ、フイルムカートリッジ内にフイルム１２を巻き取る時にスプール１４を図１上で反時計回り方向に回転させる。フイルム巻取部は巻取リールを有し、この巻取リールを回転させることによりフイルム供給部から供給されるフイルム１２を巻き取る。また、キャプスタンは、ピンチローラとの間でフイルムを挟持してフイルムを所定の速度で搬送する。
【００１７】
次に、フイルムガイド部４０について詳述する。
フイルムガイド部４０は、撮影位置において良好に撮影できるようにフイルム１２を案内するもので、第１ガイドプレート４２と、第２ガイドプレート４４と、ガイドローラ４６とから構成されている。
図２は図１の第１ガイドプレート４２を外した状態で、蛍光灯３０側から見た平面図であり、図３は図１の３−３線に沿う断面図である。
【００１８】
図３に示すように、第１ガイドプレート４２には、フイルム１２の画像エリアに対向して凹部４２Ａが形成され、この凹部４２Ａの両端に画像エリア以外の両縁部のみに接触するガイド面４２Ｂ、４２Ｂが形成されている。同様に、図２及び図３に示すように、第２ガイドプレート４４には、フイルム１２の画像エリアに対向して凹部４４Ａが形成され、前記第１ガイドプレート４２のガイド面４２Ｂ、４２Ｂに対向するガイド面を有するガイド用リブ４４Ｂ、４４Ｂが形成され、更にフイルム１２の幅方向の移動を規制するガイド面４４Ｃ、４４Ｃが形成されている。
【００１９】
また、第１ガイドプレート４２及び第２ガイドプレート４４の凹部４２Ａ、４４Ａには、照明用の窓部（図示せず）及びラインセンサ読取用の窓部４４Ｄが穿設されている。更に、これらの窓部の両端部において、前記ガイド面４２Ｂ、４２Ｂは、図１に示すように凸に湾曲形成され、ガイド用リブ４４Ｂ、４４Ｂは凹に湾曲形成されている。
【００２０】
一方、ガイドローラ４６は、図１及び図２に示すように第１ガイドプレート４２及び第２ガイドプレート４４のフイルム入口に回転自在に配設され、また、フイルム１２の画像エリア以外の両縁部のみに接触するように形成されている。
上記構成のフイルム搬送装置の作用について説明する。
先ず、フイルムカートリッジ１０がフイルム供給部に装着されると、自動的に又はローディング指示により、フイルムローディングが開始される。即ち、図１において、フイルムカートリッジ１０のスプール１４が時計回り方向に回転させられる。フイルムカートリッジ１０のスプール１２が時計回りに回転させられると、フイルムカートリッジ１０内において巻き緩みの現象が生じてフイルムカートリッジ１０のフイルム出入口からフイルム１２が送り出されてくる。
【００２１】
フイルム１２の先端は、第１ガイドプレート４２のフイルム入口のテーパー面４２Ｃとガイドローラ４６とによって案内され、第１ガイドプレート４２と第１ガイドプレート４２との間に送出される。尚、本実施例では、フイルム先端は、ガイドローラ４６の上部に入射し、ガイドローラ４６に沿って案内される。
このフイルム１２が図示しないキャプスタンまで送出されると、その後はキャプスタンによって送り出され、巻取リールに巻き付けられ。
【００２２】
上記構成のフイルムガイド部４０によれば、フイルムガイド部４０を通過するフイルム１２は、その画像エリア以外の両縁部のみが接触して案内されるため、フイルムガイド部４０によって画像エリアに傷がつくことがない。また、搬送中のフイルムは、図６（Ｂ）に示すように幅方向に湾曲するが、フイルム画像を読み取るための窓部において、フイルム１２はその長手方向に湾曲させられるため（図１参照）、フイルムの幅方向の湾曲が矯正される。これにより、ＣＣＤラインセンサ３４で読み取る際のフイルム面の平面性を確保することができる。
【００２３】
次に、フイルム給送部に収納されたフイルムカートリッジ１０とガイドローラ４６との位置関係について説明する。
フイルムカートリッジ１０は、そのスプール１４及び蓋開閉部材１８がそれぞれフイルム供給部の図示しない回転軸及び蓋駆動軸に嵌合することにより、所定の位置に位置決めされる。
【００２４】
このようにして位置決めされたフイルムカートリッジ１０に対して、前記ガイドローラ４６は、以下の位置となるように決定されている。
即ち、フイルムカートリッジ１０から送出されたフイルム１２がガイドローラ４６に接触する接触位置が、以下の条件▲１▼及び▲２▼を満足するように決定されている。
【００２５】
▲１▼フイルムカートリッジ１０内におけるフイルム巻取径が最大径のときに、フイルムカートリッジ１０のフイルム出入口においてフイルム１２が接触しない位置。
▲２▼フイルム巻取径が最小径のときにフイルム出入口においてフイルム幅方向の湾曲によりフイルム１２の画像エリア以外の両縁部のみが接触する位置。
【００２６】
このようにガイドローラ４６の接触位置を決定することにより、フイルム巻取径が最大径のときには、フイルム１２がフイルム出入口に接触せず、フイルム巻取径が最小径のときには、フイルム１２の両縁部はフイルム出入口に接触しても画像エリアが接触しないようにしている。即ち、フイルム巻取径が最小径のときには、フイルム１２の両縁部がフイルム出入口に軽く接触（フイルム幅方向が湾曲している範囲内で接触）し、画像エリアが接触しないようにしている。
【００２７】
具体的には、ガイドローラ４６の接触位置は、フイルムカートリッジ１０のスプール１４の中心からの左右方向の距離Ａが１６．３ｍｍとなり、上下方向の距離Ｂが  ７．１ｍｍとなる位置が好ましい。
図４は図１の要部拡大図である。同図では、蓋開閉部材１８の中心を基準にして前記ガイドローラ４６の接触位置を特定している。即ち、ガイドローラ４６の接触位置は、フイルムカートリッジ１０の蓋開閉部材１８の中心から左右方向の距離が  ５．１ｍｍであり、上下方向の距離が  １．３ｍｍである。尚、ガイドローラ４６の接触位置が、上記基準距離に対して水平方向に−０．３  ｍｍ〜＋０．８  ｍｍ、上下方向に−０．５  ｍｍ〜＋０．２  ｍｍの範囲４７内にあれば、上記▲１▼及び▲２▼の条件を満足する。また、ガイドローラ４６もその大きさが限定され、この実施例では直径２ｍｍである。
【００２８】
本実施例では、フイルムカートリッジから送出されたフイルムが最初に接触する部材をガイドローラ４６としたが、これに限らず、回転不能なガイドピンとしてもよく、更にガイド用リブを延長して形成したものでもよい。要はフイルムカートリッジから送出されたフイルムが最初に接触する接触位置が、上記▲１▼及び▲２▼の条件を満足していればよい。
【００２９】
【発明の効果】
以上説明したように本発明に係るフイルム搬送装置によれば、フイルムカートリッジから送出されたフイルムがフイルムガイド部に最初に接触する接触位置を最適な位置に決定したため、フイルムカートリッジ内のフイルム巻取径が変化しても、少なくともフイルムの画像エリアがフイルムカートリッジにおけるフイルム出入口に接触しなくなり、これによりフイルムを多数回往復させてもフイルムの画像エリアが傷つかなくなり、またフイルムの傷に伴って発生するゴミも低減することができる。
【図面の簡単な説明】
【図１】図１は本発明に係るフイルム搬送装置を含むフイルムスキャナの要部構成図である。
【図２】図２は図１の第１ガイドプレートを外した状態で、蛍光灯側から見た平面図である。
【図３】図３は図１の３−３線に沿う断面図である。
【図４】図４は図１の要部拡大図である。
【図５】図５は従来のフイルム搬送装置の一例を示す要部構成図である。
【図６】図６（Ａ）は強くカールした写真フイルムを示し、同図（Ｂ）は引き延ばしたために幅方向に湾曲した写真フイルムを示す図である。
【符号の説明】
１０…フイルムカートリッジ
１２…写真フイルム
１４…スプール
１６…蓋
１８…蓋開閉部材
３０…蛍光灯
３２…撮影レンズ
３４…ＣＣＤラインセンサ
３６…画像処理装置
３８…モニタＴＶ
４０…フイルムガイド部
４２…第１ガイドプレート
４２Ａ、４４Ａ…凹部
４２Ｂ、４４Ｃ…ガイド面
４２Ｃ…テーパー面
４４…第２ガイドプレート
４４Ｂ…ガイド用リブ
４６…ガイドローラ
【図１】
0003594093.tif 000002
【図２】
0003594093.tif 000003
【図３】
0003594093.tif 000004
【図４】
0003594093.tif 000005
【図５】
0003594093.tif 000006
【図６】
0003594093.tif 000007